(57)【特許請求の範囲】
【請求項１】
成形可能な材料に埋設された流体吐出ダイであって：
各々のノズルが：
ノズル基板に形成された吐出チャンバ；
開口；および
吐出チャンバ内に配置された流体アクチュエータを含むノズルのアレイ；
ノズル基板の背面に接合された流路基板に形成され、流体を吐出チャンバへ、また吐出チャンバから配送するための通路のアレイ；および
流路基板の背面上に形成された、内蔵された横断流路のアレイであって、アレイの各々の内蔵された横断流路が通路のアレイの複数の通路のそれぞれと流体的に接続されている内蔵された横断流路のアレイを含む、流体吐出ダイと；
流体吐出ダイが配置されている成形可能な材料と、ここで成形可能な材料は流体を流体吐出ダイへ、また流体吐出ダイから配送する供給スロットを含んでおり；および
流体吐出ダイおよび成形可能な材料を支持するキャリア基板とを含む、流体吐出デバイス。
【請求項２】
流体アクチュエータは、サーマルデバイスを含む、請求項１に記載の流体吐出デバイス。
【請求項３】
成形可能な材料はエポキシ成形コンパウンドである、請求項１または請求項２に記載の流体吐出デバイス。
【請求項４】
内蔵された横断流路を通る流体の流れは通路における流体の流れに対して垂直である、請求項１〜３の何れか一項に記載の流体吐出デバイス。
【請求項５】
各々のノズルはさらに、流体を対応する吐出チャンバへ、また対応する吐出チャンバから差し向ける流路を含み；そして
ノズルに対応する流路および通路は微小再循環ループを形成する、請求項１〜４の何れか一項に記載の流体吐出デバイス。
【請求項６】
通路は流路基板の穿孔された層に形成されている、請求項１〜５の何れか一項に記載の流体吐出デバイス。
【請求項７】
一対の通路が対応する吐出チャンバと組み合わせられている、請求項１〜６の何れか一項に記載の流体吐出デバイス。
【請求項８】
成形可能な材料にある供給スロットは複数の内蔵された横断流路へと流体を供給する、請求項１〜７の何れか一項に記載の流体吐出デバイス。
【請求項９】
成形可能な材料から形成された成形パネル；
成形パネルに埋設された複数の流体吐出ダイであって、各々の流体吐出ダイは：
各々のノズルが：
ノズル基板に形成された吐出チャンバ；
開口；および
吐出チャンバ内に配置された流体アクチュエータを含むノズルのアレイと；
ノズル基板の背面に接合された流路基板に形成され、流体を吐出チャンバへ、また吐出チャンバから配送するための通路のアレイと；および
流路基板の背面上に形成された、内蔵された横断流路のアレイであって、内蔵された横断流路のアレイの各々の内蔵された横断流路が通路のアレイの複数の通路のそれぞれと流体的に接続されている内蔵された横断流路のアレイとを含んでいる、流体吐出デバイスであって；
成形パネルは流体を流体吐出ダイへ、また流体吐出ダイから配送する供給スロットを含んでおり；および
流体吐出ダイおよび成形パネルを支持するキャリア基板とを含む、流体吐出デバイス。
【請求項１０】
各々のノズルはさらに：
流体を対応する吐出チャンバへ、また対応する吐出チャンバから差し向ける流路；
流体を流路を通して移動させるための２次的流体アクチュエータを含み；そして
ノズルに対応する流路および通路はノズルの微小再循環ループを形成する、請求項９の流体吐出デバイス。
【請求項１１】
プリントヘッドが基材幅のプリントバーであり；そして
流体吐出ダイは流体が付着される基材の幅にわたって互い違いに配置されている、請求項９または請求項１０に記載の流体吐出デバイス。
【請求項１２】
プリントヘッドは多色プリントヘッドであり；
ノズルのアレイの異なる部分集合が異なる色に対応しており；
内蔵された横断流路の異なる部分集合が流体をノズルのアレイの異なる部分集合の行へと配送する、請求項９または請求項１０に記載の流体吐出デバイス。
【請求項１３】
流体吐出デバイスを作成するための方法であって：
ノズルのアレイをノズル基板に形成し、各々のノズルが、
吐出チャンバ；
開口；および
吐出チャンバ内に配置された流体アクチュエータを含んでおり；
通路のアレイを流路基板に形成し、ここで通路は流体を対応する吐出チャンバへ、また対応する吐出チャンバから配送し、
流路基板の背面上に多数の内蔵された横断流路を形成し、ここで多数の内蔵された横断流路は流体を通路へ、または通路から配送し；
アレイの各々の内蔵された横断流路が通路のアレイの複数の通路のそれぞれと流体的に接続されるように流路基板をノズル基板の背面に接合して流体吐出ダイを形成し；そして
流体吐出ダイを成形可能な材料に埋設し、ここで成形可能な材料は多数の内蔵された横断流路へと流体を供給する供給スロットを含む、方法。
【請求項１４】
多数の内蔵された横断流路を流路基板の背面上に形成することは、流路基板の背面側をエッチングしてリブを形成することを含む、請求項１３に記載の方法。
【請求項１５】
通路のアレイを形成することは、通路を含んでいる膜をノズルが形成されたノズル基板に接合することを含む、請求項１３または請求項１４に記載の方法。
【発明の詳細な説明】
【背景技術】
【０００１】
流体吐出ダイは、流体吐出システムの部品であり、多数の流体吐出ノズルを含んでいる。流体ダイはまた、微小再循環ポンプのような、他の非吐出型アクチュエータを含むことができる。これらのノズルおよびポンプを通じて、流体、中でもインクおよび融合（溶融）剤が吐出または移動される。例えば、ノズルは所定量の流体を保持する吐出チャンバを含んでいてよく、吐出チャンバ内の流体アクチュエータが動作して、流体をノズルの開口を通して吐出する。流体吐出ダイおよび周囲のパッケージは、流体吐出デバイスとして参照されてよい。
【図面の簡単な説明】
【０００２】
添付の図面は、本願に記載された原理の種々の例を図解しており、明細書の一部をなしている。図解された例は単に例示のために与えられたものであり、特許請求の範囲を制限するものではない。
【０００３】
図１Ａおよび図１Ｂは、本願に記載された原理の例に従う、内蔵された横断流路を備えた流体吐出ダイを有する流体吐出デバイスの等測図である。
【０００４】
図２Ａから図２Ｄは、本願に記載された原理の例に従う、内蔵された横断流路を備えた流体吐出ダイの図面である。
【０００５】
図３は、本願に記載された原理の例に従う、内蔵された横断流路を備えた流体吐出ダイの断面図である。
【０００６】
図４Ａおよび図４Ｂは、本願に記載された原理の例に従う、内蔵された横断流路を備えた流体吐出ダイを有する流体吐出デバイスの断面図である。
【０００７】
図５は、本願に記載された原理の例に従う、内蔵された横断流路を備えた流体吐出ダイの下側の等測図である。
【０００８】
図６は、本願に記載された原理の例に従う、内蔵された横断流路を備えた流体吐出ダイを含む、印刷流体カートリッジのブロック図である。
【０００９】
図７は、本願に記載された原理の例に従う、基材幅の印刷バー内に内蔵された横断流路を備えた多数の流体吐出ダイを含んでいる印刷デバイスのブロック図である。
【００１０】
図８は、本願に記載された原理の例に従う、内蔵された横断流路を備えた多数の流体吐出ダイを含んでいる流体吐出ダイのブロック図である。
【００１１】
図９は、本願に記載された原理の例に従う、内蔵された横断流路を備えた流体吐出ダイを形成するための方法の流れ図である。
【００１２】
図１０Ａから図１０Ｄは、本願に記載された原理の例に従う、内蔵された横断流路を備えた流体吐出ダイを製造するための方法を示している。
【００１３】
図面を通じて、同一の参照番号は類似した、しかし必ずしも同一ではない要素を指定している。図面は必ずしも縮尺通りではなく、幾つかの部品の大きさは誇張されて、示された例をより明確に図解するようにされていてよい。さらにまた、図面は詳細な説明と矛盾のない例および／または実施態様を提示している；しかしながら、詳細な説明は図面に提示された例および／または実施態様に限定されるものではない。
【発明を実施するための形態】
【００１４】
流体デバイスは、本願で使用するところでは、流体ダイを含むデバイスである。流体ダイとは、それを用いて小さな体積の流体が給送、混合、分析、吐出、等々されうるところの、様々な種類の集積デバイスを表していてよい。こうした流体ダイには、流体吐出ダイ、付加製造用の分配器の部品、デジタル滴定用部品、および／または所定体積の流体を選択的および制御可能に吐出するために用いられうる、他のそうしたデバイスが含まれていてよい。流体ダイの他の例には、流体検知デバイス、ラボオンチップデバイス、および／または流体を分析および／または処理しうる他のそうしたデバイスが含まれていてよい。
【００１５】
具体的な例においては、これらの流体デバイスは、インクジェットプリンター、多機能プリンター（ＭＦＰ）、および付加製造装置といった、多くの印刷システムにおいて見出される。これらの印刷システムにおいて流体デバイスは、少量の流体を正確かつ迅速に分配するために使用されている。例えば、付加製造装置においては、流体吐出デバイスは融合剤を分配する。融合剤は構築材料上に付着され、その融合剤が構築材料の硬化を促進して、３次元製品が形成される。
【００１６】
他の流体吐出デバイスは、紙のような２次元の印刷媒体上にインクを分配する。例えばインクジェット印刷に際して、流体は、流体吐出デバイス内部に見出される流体吐出ダイへと差し向けられる。印刷される内容に応じて、流体吐出ダイが配置されたシステムは、インク液滴が印刷媒体上へと放出／吐出される時間と位置を決定する。このようにして、流体吐出デバイスのダイは、所定の領域にわたって多数のインク液滴を放出し、印刷すべきイメージ内容の表現を生成する。紙の他にも、他の形態の印刷媒体もまた使用してよい。従って、上述してきたように、本願に記載のシステムおよび方法は２次元印刷、すなわち基材上への流体の付着において、および３次元印刷、すなわち材料ベース上への融合剤または他の機能性剤の付着による３次元印刷製品の形成において実施されてよい。
【００１７】
こうした流体吐出デバイスは、様々な種類の流体について吐出効率を増大させてきたが、それらの動作を強化すれば性能の増大がもたらされうる。例えば流体吐出デバイスにあるダイは抵抗素子を含むことができ、これは流体をノズル開口を通して押し進める。幾つかの例においては、流体は懸濁された粒子を含んでいてよいが、それらは懸濁状態から外れて、流体吐出ダイ内部の特定の領域に沈殿物として集積しうる。例えば、インク中に懸濁された顔料粒子は、懸濁状態から外れて、ノズルの吐出チャンバ内部に集積される傾向がありうる。これは流体の吐出を阻止可能であり、および／または印刷品質の低下を招来しうる。
【００１８】
粒子のこうした沈積は、流体吐出ダイ内部の微小再循環流路（チャネル）内に配置された、多数の再循環ポンプを包含させることによって修正されてよい。これらの再循環ポンプは微小抵抗素子であってよく、流体吐出ダイの吐出チャンバを介して流体を循環させることにより、顔料の沈殿を低減または排除する。
【００１９】
しかしながら、再循環ポンプの付加、ならびに流体吐出器の動作は、流体、流体吐出ダイ、および流体吐出デバイス全体の他の部分に、望ましくない量の廃熱の蓄積を生じうる。廃熱のこうした増大は、流体吐出ダイからの流体の吐出に熱欠損を生じさせ、流体吐出ダイの部品を損傷させ、そして印刷品質を低減させうる。
【００２０】
また、これらの微小再循環ポンプの望ましい効果は、流体力学に基づいて低減される。例えば流体は、流体供給スロットを経由して流体吐出デバイスへと供給される。マクロ再循環システムが、これらの流体供給スロットを通して流体を駆動する外部ポンプを含んでいる。流体吐出ダイが狭小であることから、このマクロ再循環流は流体供給スロット中へと十分に深く浸入せず、ノズル内の微小再循環ループ中に引き込まれない。つまり、流体供給スロットはマクロ再循環流を、微小再循環流から分離することになる。
【００２１】
従って、微小再循環ループにある流体は補充されず、それに代えて所定体積の同じ流体がループを通って再利用されることになる。これが行われると、ノズルに対して有害な影響がある。例えば動作中に、微小流体ポンプおよび流体吐出器を経由しての多数回の付勢の後に、流体は部分的に蒸発し、かくして流体からは水分が欠乏した状態になる。水分が欠乏した流体はノズルに負の影響を与えうるものであり、また印刷品質の低下という結果をもたらしうる。
【００２２】
従って、本明細書は、これらの、および他の問題点を解決する流体吐出デバイスを説明する。すなわち本明細書は、流体吐出デバイス内で流れを横断方向に押し進めるデバイスおよび方法を説明する。この例において、ダイのスロットは流入ポートおよび流出ポートで置き換えられ、これらは流体吐出ダイの背面側にある、内蔵された（囲まれて内部に備えられた）横断流路（クロスチャネル）に繋がっている。より詳しくは、流体が吐出されるノズルは、流体吐出ダイの前面に配置されている。流体はこれらのノズルへと、背面側から供給される。内蔵された横断流路は、流体吐出ダイの近くで流れを促進させる。すなわち、内蔵された横断流路がなければ、供給スロットにより流体吐出デバイスの流入部へと供給される流体は低速であり、微小再循環ループに近接するには不十分である。この例においては、流体は微小流体ループ全体にわたって循環しているが、流体が流体供給部から補充されることはない。
【００２３】
内蔵された横断流路は、流体力学によって、微小再循環ループの近傍で流れを増大させ、かくしてループには新たな流体が補充される。すなわち、微小再循環流は、内蔵された横断流路を通って移動しているマクロ再循環流から流体を引き入れ、またはその中へと流体を放出する。従ってこの例において、微小再循環ループおよびノズルには、新たな、新鮮な流体が提供されることになる。
【００２４】
すなわち、微小再循環ポンプは脈動的な仕方で流路内へと流体を引き入れ、そして流体を流路から放出し、これが二次的な流れおよび渦を生成する。これらの渦は、流路から所定の距離を置いて消失する。内蔵された横断流路は、マクロ再循環流をこれらの渦へと直接的に引き入れ、かくしてマクロ再循環流体は十分な流速においてこれらの渦と相互作用し、マクロ再循環流体と微小再循環ループにある流体との間で混合が加速されるようになる。内蔵された横断流路がマクロ再循環流体を微小再循環ループの近傍へと押し進めなければ、マクロ再循環流体が十分な速度で流体供給スロット内に到達して微小再循環ループの入口／出口付近において渦と相互作用することはない。この増大した流れはまた、新鮮なインクとして冷却を増大させるが、これは水分の欠乏した、または再利用される流体よりも、流体吐出ダイから熱を取り去るについて有効である。
【００２５】
流体吐出デバイスはまた、成形可能な材料を含んでおり、その中に流体吐出ダイが配置される。成形可能な材料は、ダイの近傍においてデバイスの厚さを増大させることなしに、回路を成形体中に一体化させることを可能にする。換言すれば、成形可能な材料中に流体吐出ダイを埋設すると、吐出用ダイの大きさは、キャリア基板および関連する特徴部分の大きさから切り離される。流体吐出ダイを成形可能な材料中に配置すると、流体吐出ダイの流体的なファンアウト（展開拡張）が許容され、流体吐出ダイのノズル側に平滑で平坦な表面がもたらされて媒体が突起や割れ目に引っ掛かることが防止され；電子的ファンアウトが許容され、そして複数個の流体吐出ダイを整列させ、それらの位置を成形可能な材料内に固定することにより組み立てが簡易化される。
【００２６】
具体的には、本明細書は流体吐出デバイスを記述している。この流体吐出デバイスは、成形可能な材料中に埋設された流体吐出ダイを含んでいる。流体吐出ダイは、所定量の流体を吐出するためのノズルのアレイを含んでいる。各々のノズルは、所定量の流体を保持するための吐出チャンバ；所定量の流体を分配するための開口；および吐出チャンバ内に配置され、所定量の流体を開口を介して吐出するための流体アクチュエータを含んでいる。流体吐出ダイはまた、流体を吐出チャンバへ、また吐出チャンバから配送するための、基板に形成された通路のアレイを含んでいる。流体吐出ダイはまた、基材の背面上に形成された、内蔵された横断流路のアレイを含んでいる。内蔵された横断流路のアレイの各々の内蔵された横断流路は、通路のアレイをなす複数の通路のそれぞれと流体的に接続されている。流体吐出ダイに加えて、流体吐出デバイスは成形可能な材料を含んでおり、その中に流体吐出ダイが配置されている。成形可能な材料は、流体吐出ダイへ、そして流体吐出ダイから流体を配送するための供給スロットを含んでいる。流体吐出デバイスのキャリア基板が、流体吐出ダイおよび成形可能な材料を支持している。
【００２７】
本明細書はまた、プリントヘッドを記述している。このプリントヘッドは、成形可能な材料で形成された成形パネルを含んでいる。プリントヘッドはまた複数個の、例えば１つよりも多い、成形パネルに埋設された流体吐出ダイを含んでいる。流体吐出ダイの各々は、所定量の流体を吐出するノズルのアレイを含んでいる。各々のノズルは、所定量の流体を保持するための吐出チャンバ、所定量の流体を分配するための開口、および吐出チャンバ内に配置され、所定量の流体を開口を介して吐出するための流体アクチュエータを含んでいる。流体吐出ダイはまた、１）流体を吐出チャンバへ、また吐出チャンバから配送するための、基板に形成された通路のアレイ、および２）基材の背面上に形成された、内蔵された横断流路のアレイを含んでいる。内蔵された横断流路のアレイの各々の内蔵された横断流路は、通路のアレイをなす複数の通路のそれぞれと流体的に接続されている。成形パネルは、流体吐出ダイへ、そして流体吐出ダイから流体を配送するための供給スロットを含んでいる。流体吐出デバイスのキャリア基板が、流体吐出ダイおよび成形パネルを支持している。
【００２８】
本明細書はまた、流体吐出デバイスを作成するための方法を記述している。この方法によれば、ノズルのアレイ、およびそれを通して流体を吐出するための対応する通路が形成される。多数の内蔵された横断流路もまた形成される。内蔵された横断流路のアレイの各々の内蔵された横断流路は、通路のアレイをなす複数の通路のそれぞれと流体的に接続されている。ノズルのアレイおよび通路は次いで、多数の内蔵された横断流路と接合されて流体吐出ダイが形成され、そして流体吐出ダイは成形可能な材料中に埋設される。成形可能な材料は、多数の内蔵された横断流路へと流体を供給する供給スロットを含んでいる。
【００２９】
概略すると、こうした流体吐出ダイの使用は、１）流体中の水分濃度を維持することによってデキャップの蓋然性を低減し、２）ノズル内部でのより効率的な微小再循環を促進し、３）ノズルの健全性を改善し、４）ダイ近傍での流体の混合をもたらして印刷品質を向上させ、５）流体吐出ダイを対流によって冷却し、６）流体吐出ダイから気泡を除去し、７）ノズルの再プライミングを許容し、そして８）スライバー状の流体吐出ダイを使用することを許容する。しかしながら、本願に開示されたデバイスは、多くの技術分野における他の事項および不具合に対処してよいと考えられる。
【００３０】
本明細書および添付の特許請求の範囲で使用するところでは、用語「アクチュエータ」はノズル、または別の非吐出型のアクチュエータを指している。例えば、ノズルはアクチュエータであり、流体吐出ダイから流体を吐出するように作動する。非吐出型のアクチュエータの例である再循環ポンプは、流体吐出ダイ内部の通路、流路、および経路を通して流体を移動させる。
【００３１】
従って、本明細書および添付の特許請求の範囲で使用するところでは、用語「ノズル」は、表面上へと流体を分配する、流体吐出ダイの個々の部品を指している。ノズルは少なくとも、吐出チャンバ、吐出器流体アクチュエータ、およびノズル開口を含んでいる。
【００３２】
また、本明細書および添付の特許請求の範囲で使用するところでは、用語「印刷流体カートリッジ」は、印刷媒体上へとインクその他の流体を吐出するのに使用されるデバイスを指してよい。一般に、印刷流体カートリッジは、インク、ワックス、ポリマーまたは他の流体といった、流体を分配する流体吐出デバイスであってよい。プリンターカートリッジは、流体吐出ダイを含んでいてよい。幾つかの例では、プリンターカートリッジは、プリンター、グラフィックプロッター、コピー機およびファクシミリ装置において使用されてよい。これらの例において、流体吐出ダイはインクまたは別の流体を、紙のような媒体上へと吐出して、所望のイメージを形成してよい。
【００３３】
さらにまた、本明細書および添付の特許請求の範囲で使用するところでは、用語「多数の」またはこれに類する言い回しは、１から無限までを含む任意の正の数として、広義に解されることを意図している。
【００３４】
以下の記述においては、説明上の目的で、本システムおよび方法の完全な理解を提供するため、数多くの具体的な詳細事項が記載される。しかしながら、本装置、システム、および方法は、そうした具体的な詳細事項なしに実施されてよいことが、当業者には明らかであろう。明細書中における「例」または類似の用語に対する参照は、その例に関して記載された具体的な特徴、構成、または特性が記載通りに含まれていること、しかし他の例には含まれていてもよく、含まれていなくともよいことを意味している。
【００３５】
さて添付図面について参照すると、図１Ａおよび図１Ｂは、本願に記載された原理の例に従う、内蔵された横断流路を備えた流体吐出ダイを有する流体吐出デバイス（１００）の等測図である。具体的には、図１Ａはノズルプレート（１０４）によって規定された単一の流体吐出ダイを有する流体吐出デバイス（１００）の図であり、図１Ｂはノズルプレート（１０４−１、１０４−２）によって規定された複数の流体吐出ダイを有する流体吐出デバイス（１００）の図である。
【００３６】
幾つかの例においては、流体吐出デバイス（１００）は、成形可能な材料（１０２）に埋設された流体吐出ダイを含んでいる。上述したように、流体吐出ダイは流体吐出デバイス（１００）の部品であり、リザーバに由来する流体を表面上へと吐出するように動作する。従って、流体吐出ダイは、この吐出を促進するための、多数の部品を含んでいる。具体的には、流体吐出ダイはノズルのアレイを含んでいる。各々のノズルは吐出チャンバおよび開口を含んでおり、これらはノズル基板（１０４）に画定されている。流体アクチュエータが吐出チャンバ内に配置されており、吐出チャンバからの流体を開口を介して吐出する。流体吐出ダイはまた、基板に形成された通路のアレイを含んでいる。通路のアレイは、流体を吐出チャンバへ、また吐出チャンバから配送する。内蔵された横断流路のアレイは基板の背面上に形成されており、そして流体を流体供給スロットから通路へと差し向ける。すなわち、内蔵された横断流路の各々は、通路のアレイをなす複数の通路のそれぞれと流体的に接続されている。上述したように、内蔵された横断流路は流体供給スロットからの流体を流体吐出ダイの近くへと引き込み、それがノズルを通って流れる流体と、より完全に混ざり合うようにする。この混合の増大は少なくとも、１）ノズルの寿命を延長させ、２）ダイの冷却を増大させ、そして３）印刷品質を向上させる。
【００３７】
流体吐出ダイの全般に戻る。幾つかの例においては、流体吐出ダイは薄い、例えば２２０マイクロメートル未満の幅のスライバーダイである。流体吐出ダイの寸法は、アスペクト比を使用して相互に関連されていてよく、このアスペクト比とは、流体吐出ダイの長さに対する流体吐出ダイの幅の比である。本出願の流体吐出ダイは、１：３未満のアスペクト比を有していてよい。換言すれば、流体吐出ダイの長さは流体吐出ダイの幅よりも、少なくとも３倍大きくてよく、そして幾つかの場合には５０倍よりも大きくてよい。別の例においては、流体吐出ダイの長さは流体吐出ダイの幅よりも、少なくとも１００倍大きくてよい。具体的な数値例として、流体吐出ダイは幅が２２０マイクロメートル未満であり、そして２０ミリメートルよりも長くてよい。
【００３８】
１つの例においては、流体吐出ダイは圧縮成形されて、可塑性のエポキシ成形コンパウンド（ＥＭＣ）、または他の成形可能な材料の一体成形体（１０２）とされてよい。例えば印刷システムは、図１Ｂに示されたように、細長い単一の成形体内に成形された複数の流体吐出ダイを有する、流体吐出デバイス（１０２）を含んでいてよい。成形可能な材料（１０２）内への流体吐出ダイの成形は、流体配送流路の役割を流体吐出ダイから材料成形体（１０２）へと移すことにより、より小さなダイを使用することが可能になる。このようにして、材料成形体（１０２）は各々の流体吐出ダイの大きさを有効に拡大し、このことは次いで、外部への流体接続を行うについて、そして流体吐出ダイを他の構造へと取り付けるについて、流体吐出ダイのファンアウトを改善させる。流体供給部から流体吐出ダイの通路への流体の配送を可能にするために、流体吐出ダイが配置されている成形可能な材料（１０２）は、供給スロットを含んでいる。流体吐出デバイス（１００）のキャリア基板（１０６）は、流体吐出ダイおよび成形可能な材料（１０２）の両方を支持している。
【００３９】
図２Ａから図２Ｄは、本願に記載された原理の例に従う、内蔵された横断流路（２１２）を備えた流体吐出ダイ（２０８）の図である。具体的には、図２Ａは流体吐出ダイ（２０８）の等測図である。上述したように、流体吐出ダイ（２０８）は流体吐出デバイス（図１、１００）の部品を指しており、これはリザーバに由来する流体を基材または他の表面上へと吐出する部品を含んでいる。印刷流体を基材上へと吐出するために、流体吐出ダイ（２０８）はノズル（２１０）のアレイを含んでいる。簡単化のために図２Ａにおいては、１つのノズル（２１０）が参照番号で示されている。さらにまた、ノズル（２１０）および流体吐出ダイ（２０８）の相対的な大きさは縮尺通りではないことに留意すべきであり、ノズルは図示の目的で拡大されている。
【００４０】
流体吐出ダイ（２０８）のノズル（２１０）は列状またはアレイに配列されてよく、ノズル（２１０）からの適切に順序付けられた流体の吐出は、流体吐出ダイ（２０８）および印刷媒体が相互に相対的に移動されるにつれて、文字、符号、および／または他のグラフィックスまたはイメージが印刷媒体上に印刷されるようにする。
【００４１】
１つの例では、アレイ内のノズル（２１０）はさらにグループ化されていてよい。例えば、アレイのノズル（２１０）第１の部分集合は、インクの１つの色、または１組の流体特性を備えた１つの種類の流体に関連付けられていてよく、これに対しアレイのノズル（２１０）の第２の部分集合は、インクの別の色、または別の異なる組の流体特性を備えた流体に関連付けられていてよい。
【００４２】
流体吐出ダイ（２０８）は、ノズル（２１０）から流体を吐出するについて、流体吐出ダイ（２０８）を制御するコントローラに結合されていてよい。例えば、コントローラは、文字、符号、および／または他のグラフィックスまたはイメージを印刷媒体上に形成する、吐出される流体液滴のパターンを規定する。吐出される流体液滴のパターンは、コンピューティング装置から受け取られる、印刷ジョブコマンドおよび／またはコマンドパラメータによって決定される。
【００４３】
図２Ｂおよび図２Ｃは、流体吐出ダイ（２０８）の断面図である。より特定的には、図２Ｂおよび図２Ｃは、図２ＡのＡ−Ａつ断面図である。図２Ｂおよび図２Ｃは各々、特定の種類の内蔵された横断流路（２１２）を図解している。図２Ｂおよび図２Ｃにおいては、参照番号２１２は流体の流れではなく内蔵された横断流路を参照しており、その流体の流れは矢印によって示されていることに留意されたい。
【００４４】
何よりも、図２Ｂおよび図２Ｃは、ノズル（２１０）のアレイを示している。簡単化のために、図２Ｂおよび図２Ｃにおいては、１つのノズル（２１０）が参照番号で示されている。流体を吐出するために、ノズル（２１０）は多数の部品を含んでいる。例えば、ノズル（２１０）は、吐出すべき量の流体を保持する吐出チャンバ（２１４）、その量の流体がそれを通って吐出される開口（２１６）、および吐出チャンバ（２１４）内部に配置され、その量の流体を開口（２１６）を通して吐出させるための吐出流体アクチュエータ（２１８）を含んでいる。吐出チャンバ（２１４）およびノズル開口（２１６）は、流路基板（２２０）の上部に配置されたノズル基板（１０４）に画定されていてよい。幾つかの例においては、ノズル基板（１０４）はＳＵ−８または他の材料で形成される。
【００４５】
吐出アクチュエータ（２１８）について見ると、吐出流体アクチュエータ（２１８）は、噴射抵抗器または他のサーマルデバイス、圧電素子、または吐出チャンバ（２１４）から流体を吐出するための他の機構を含んでいてよい。例えば、吐出器（２１８）は噴射抵抗器であってよい。噴射抵抗器は印加された電圧に応じて加熱される。噴射抵抗器が加熱されると、吐出チャンバ（２１４）内にある流体の一部が気化して気泡を形成する。この気泡は流体を開口（２１６）から、印刷媒体上へと押し出す。気化された流体の気泡が破裂すると、流体は通路（２２２）から吐出チャンバ（２１４）へと引き込まれ、この過程が繰り返される。この例においては、流体吐出ダイ（２０８）はサーマルインクジェット（ＴＩＪ）流体吐出ダイ（２０８）であってよい。
【００４６】
別の例においては、吐出流体アクチュエータ（２１８）は圧電素子であってよい。電圧が印加されるにつれて、圧電素子は形状を変化させ、これが吐出チャンバ（２１４）内に圧力パルスを生成して、流体を開口（２１６）から、印刷媒体上へと押し出す。この例においては、流体吐出ダイ（２０８）はピエゾ電気型インクジェット（ＰＩＪ）流体吐出ダイ（２０８）であってよい。
【００４７】
流体吐出ダイ（２０８）はまた、流路基板（２２０）に形成された通路（２２２）のアレイを含んでいる。流路（２２２）は流体を対応する吐出チャンバ（２１４）へ、また吐出チャンバ（２１４）から配送する。幾つかの例においては、通路（２２２）流路基板（２２０）の穿孔された膜に形成される。例えば、流路基板（２２０）はシリコンから形成されていてよく、そして通路（２２２）は、流路基板（２２０）の一部を形成する、穿孔されたシリコン膜に形成されていてよい。すなわち、この膜には孔が穿孔されていてよく、この孔はノズル基板（１０４）と接合された場合に吐出チャンバ（２１４）と整列して、吐出過程において流体が流入および流出する経路を形成する。図２Ｂおよび図２Ｃに示されているように、各々の吐出チャンバ（２１４）には２つの通路（２２２）が対応していてよく、この対のうち１つの通路（２２２）は吐出チャンバ（２１４）への入口となり、他方の通路（２２２）は吐出チャンバ（２１４）からの出口となる。幾つかの例においては、通路（２２２）は円形の孔、角が丸められた正方形の孔、または他の種類の通路であってよい。
【００４８】
流体吐出ダイ（２０８）はまた、内蔵された横断流路（２１２）のアレイを含んでいる。
【００４９】
内蔵された横断流路（２１２）は流路基板（２２０）の背面側に形成されており、流体を通路（２２２）へ、また通路（２２２）から配送する。１つの例では、内蔵された横断流路（２１２）の各々は、通路（２２２）のアレイの複数の通路（２２２）のそれぞれと流体的に接続されている。幾つかの例においては、内蔵された横断流路（２１２）を通る流体の経路は、矢印によって示されているように、通路（２２２）を通る流れに対して垂直である。すなわち、流体は流入口から入り、内蔵された横断流路（１０４）を通過し、それぞれの通路（２２２）へと通過し、そして流出口から出て、関連する流体配送システムにある他の流体と混合される。流入口、内蔵された横断流路（２１２）および流出口を通る流れは、図２Ｂおよび図２Ｃにおいて矢印によって示されている。
【００５０】
内蔵された横断流路（２１２）は、任意の数の表面によって画定されていてよい。例えば、内蔵された横断流路（２１２）の１つの表面は、通路（２２２）が形成されている流路基板（２２０）の膜部分によって画定される。別の表面は蓋基板（２２４）によって画定され、そして他の表面は、図２Ｄに示されているようにリブによって画定されている。
【００５１】
アレイの個々の横断流路（２１２）は、通路（２２２）および特定の行にある対応する吐出チャンバ（２１４）に対応していてよい。例えば、図２Ａに示されているように、ノズル（２１０）のアレイは複数の行に配列されていてよく、そして各々の横断流路（２１２）は１つの行と整列していてよく、かくしてある行にあるノズル（２１０）は同じ横断流路（２１２）を共有するようになる。図２Ａは複数行のノズル（２１０）を直線状に示しているが、複数行のノズル（２１０）は傾斜状、湾曲状、山形状、またはその他の配向であってよい。従って、これらの例においては、内蔵された横断流路（２１２）も同様に、傾斜状、湾曲状、山形状、またはその他の配向であってよく、ノズル（２１０）の配置に対して整列される。別の例においては、特定の行の通路（２２２）は複数の横断流路（２１２）に対応していてよい。すなわち複数の行は直線状であってよいが、しかし内蔵された横断流路（２１２）は傾斜されていてよい。ノズル（２１０）の行ごとについて、内蔵された横断流路（２１２）を特定的に参照したが、幾つかの例においては、複数行のノズル（２１０）が単一の内蔵された横断流路（２１２）に対応していてよい。
【００５２】
幾つかの例においては、内蔵された横断流路（２１２）は流体を、通路（２２２）のアレイの別の異なる部分集合に属する行へと配送する。例えば、図２Ｃに示されているように、単一の内蔵された横断流路（２１２）が流体を、第１の部分集合（２２６−１）に属するノズル（２１０）の行および第２の部分集合（２２６−２）に属するノズル（２１０）の行に配送してよい。この例においては、１つの種類の流体、例えば１つのインク色を、異なる部分集合（２２６）へと供給することができる。具体的な例においては、モノクロ流体吐出ダイ（２０８）は、ノズル（２１０）の複数の部分集合（２２６）にわたる、１つの内蔵された横断流路（２１２）を実施してよい。
【００５３】
幾つかの例においては、内蔵された横断流路（２１２）は流体を、通路（２２２）のアレイの単一の部分集合（２２６）に属する行へと配送する。例えば、図２Ｂに示されているように、第１の横断流路（２１２−１）は流体を第１の部分集合（２２６−１）に属するノズル（２１０）の行へと配送し、そして第２の横断流路（２１２−２）は流体を第２の部分集合（２２６−２）に属するノズル（２１０）の行へと配送する。この例においては、異なる種類の流体、例えば異なるインク色を、異なる部分集合（２２６）へと供給することができる。こうした流体吐出ダイ（２０８）は、多色印刷流体カートリッジにおいて使用してよい。
【００５４】
これらの内蔵された横断流路（２１２）は、流体吐出ダイ（２０８）を通る改善された流体流れを促進する。例えば、内蔵された横断流路（２１２）がなければ、流体吐出ダイ（２０８）の背面側を通る流体は通路（２２２）に十分近接して通過せず、ノズル（２１０）を透過する流体と十分に混合しない場合がある。しかしながら、内蔵された横断流路（２１２）は流体をノズル（２１０）の近傍へと引き入れ、かくしてより向上された流体混合を促進する。この増大された流体流れはまた、使用済の流体がノズル（２１０）から取り出されることによってノズルの健全性を改善させるが、この使用済の流体は、ノズル（２１０）全体にわたって再使用された場合には、ノズル（２１０）に損傷を与える可能性がある。
【００５５】
図２Ｄは、流体吐出ダイ（２０８）の断面図である。より特定的には、図２Ｄは図２ＡにおけるＢ−Ｂ線に沿って取った断面図である。図２Ｄは、流体吐出ダイ（２０８）の長さに沿った、多数の内蔵された横断流路（２１２）を示している。図２Ｄは特定の数の内蔵された横断流路（２１２）を示しているが、流体吐出ダイ（２０８）はこれらの内蔵された横断流路（２１２）を任意の数で含んでいてよい。
【００５６】
図２Ｄはまた通路（２２２）を示しており、流体はこれを通って吐出チャンバ（２１４）へと渡される。簡単化のために、単一の通路（２２２）および内蔵された横断流路（２１２）が参照番号と共に示されている。図２Ｄは、流路基板（２２０）から形成されている内蔵された横断流路（２１２）を部分的に確定するリブを図解しているが、幾つかの例においては、内蔵された横断流路は蓋基板（２２４）から形成されていてよく、この蓋基板（２２４）はガラス、シリコン、または他の材料から形成されていてよい。
【００５７】
図３は、本願に記載された原理の例に従う、内蔵された横断流路（２１２）を備えた流体吐出ダイ（図２Ａ、２０８）の断面図である。具体的には図３は、単一の通路（２２２）の下側を通る、内蔵された横断流路（２１２）の一部分を示している。図３に示されている要素は縮尺通りではなく、図解の目的で拡大されていることに注意されたい。図３は、内蔵された横断流路（２１２）および通路（２２２）を通る流体の流れを明確に示している。示されているように、流体の流れは垂直になっている。すなわち、流体は内蔵された横断流路（２１２）を通って流れるにつれ、通路（２２２）を通過するに際して垂直に方向を変化させ、ノズル（図２Ａ、２１０）へと差し向けられる。
【００５８】
幾つかの例においては、吐出用の流体アクチュエータ（図２Ｂ、２１８）、吐出チャンバ（２１４−１、２１４−２）、および開口（２１６−１、２１６−２）に加えて、各々のノズル（図２Ａ、２１０）は、流体を対応する吐出チャンバ（２１４）へ、また対応する吐出チャンバ（２１４）から配送するための流路（３２８−１、３２８−２）を含んでいてよい。こうした流路（３２８）は、小体積の流体（例えば、ピコリットル規模、ナノリットル規模、マイクロリットル規模、ミリリットル規模、等々）の搬送を促進するために、十分に小さな大きさ（例えば、ナノメートルサイズの規模、マイクロメートルサイズの規模、ミリメートルサイズの規模、等々）であってよい。この例においては、ノズル（図２Ａ、２１０）に対応する流路（３２８−１、３２８−２）および通路（２２２）は、微小再循環ループを形成する。幾つかの例においては、ポンプ式流体アクチュエータが流路（３２８）内部に配置されて、流体を吐出チャンバ（２１４）へ、また吐出チャンバ（２１４）から移動させる。こうした微小流路（３２８−１、３２８−２）は、そこを通って流れる流体の沈積を防止し、開口（２１６）を通る吐出のために新鮮な流体が入手可能であることを保証する。流体アクチュエータは、吐出器（図２Ｂ、２１８）およびポンプアクチュエータの両者とも、静電膜アクチュエータ、機械的／インパクト駆動膜アクチュエータ、磁歪式駆動アクチュエータ、または電気的な付勢に応じて流体の移動を生じさせうる、他のこうした要素であってよい。
【００５９】
上記したように、こうした微小再循環ループは新鮮な流体を吐出チャンバ（２１４）へと提供し、かくしてノズル（図２Ａ、２１０）の有効寿命を増大させる。これは、ノズル（図２Ａ、２１０）は新鮮な流体を供給された場合に最適に動作するためである。
【００６０】
図４Ａおよび図４Ｂは、本願に記載された原理の例に従う、内蔵された横断流路（図２Ｂ、２１２）を備えた流体吐出ダイ（図２Ａ、２０８）を有する流体吐出デバイス（１００）の断面図である。具体的には、図４Ａは直線的な流体供給スロットを備えた流体吐出デバイス（１００）を示しており、そして図４Ｂは先細りになっている流体供給スロットを備えた流体吐出デバイス（１００）を示している。上記したように、成形可能な材料（１０２）は流体供給スロットが出口に向けて先細りになることを許容し、これはスライバーダイのような、幅のより狭い流体吐出ダイ（２０８）を対応する印刷デバイスにおいて実装することを可能にする。
【００６１】
図４Ａおよび図４Ｂは、異なる別々の内蔵された横断流路（２１２−１、２１２−２）が、相互に異なっていてよい流体を、ノズル（図２Ａ、２１０）の異なる別々の部分集合（２２６−１、２２６−２）へと供給している場合について示している。図４Ａおよび図４Ｂはまた、成形可能な材料（１０２）中への、流体吐出ダイ（図２Ａ、２０８）の埋め込みについて示している。図４Ａおよび図４Ｂはまた、成形可能な材料（１０２）中の供給スロットを示しており、流体はこれを通って通路（図２Ｂ、２２２）に流体的に接続された流入口および流出口へと流れ、図４Ｂにおいてこの供給スロットはファンアウトされている。幾つかの場合には、成形可能な材料（１０２）の供給スロットは、蓋基板（２２４）の下側に配置された、成形可能な材料（１０２）のインサートによって画定されていてよい。これらの供給スロットは、流体を複数の内蔵された横断流路（図２Ｂ、２１２）へと供給するように、長く延ばされていてよい。図４Ａおよび図４Ｂはまた、成形可能な材料（１０２）、流体吐出ダイ（図２Ａ、２０８）、および流体吐出デバイス（１００）の全体を支持するキャリア基板（１０６）を示している。
【００６２】
図４Ａおよび図４Ｂはまた、キャリア基板（１０６）のファンアウトを示している。すなわち、キャリア基板（１０６）の外側リブは、ダイ（２２０）の幅を越えたところに位置している。すなわち、成形可能な材料（１０６）は、流体吐出ダイそれ自体を物理的に拡幅することなしに、流体吐出ダイに対する流体的インタフェースを事実上拡幅している。このことは、より小さな、そしてより費用対効果の良い流体吐出ダイを使用することを可能にする。
【００６３】
図５は、本願に記載された原理の例に従う、内蔵された横断流路（２１２−１、２１２−２）を備えた流体吐出ダイ（２０８）の下側の等測図である。簡単化のために、内蔵された横断流路（２１２−１、２１２−２）および関連するリブ（５３０−１、５３０−２）の僅かなものだけが参照番号で指示されている。
【００６４】
図５は、流体吐出ダイ（２０８）を通る、特に内蔵された横断流路（２１２）を通る流体の流れ経路を明示している。図５に示された例においては、ノズル（図２Ａ、２１０）のアレイは２つの部分集合（図２Ｂ、２２６−１、２２６−２）に分割されていてよいが、しかしノズル（図２Ａ、２１０）のアレイは任意の数の部分集合（図２Ｂ、２２６）へと分割されることができる。
【００６５】
この例においては、流体は流入口へと通過され、この流入口は多数の内蔵された横断流路（２１２）によって共有されていてよい。流体は次いで内蔵された横断流路（２１２）へと通され、この内蔵された横断流路（２１２）は部分的にはリブ（５３０−１、５３０−１）および蓋基板（２２４）によって画定されている。流体が内蔵された横断流路（２１２）を通って流れると、それは通路（図２Ｂ、２２２）およびノズル（図２Ａ、２１０）を通って差し向けられ、このノズル（図２Ａ、２１０）は微小再循環ループを含んでいてよい。過剰の流体は次いで、内蔵された横断流路（２１２）へと搬送し戻され、そこで内蔵された横断流路（２１２）の流出口から放出される。
【００６６】
図６は、本願に記載された原理の例に従う、内蔵された横断流路（図２Ｂ、２１２）を有する流体吐出デバイス（１００）を含んでいる印刷流体カートリッジ（６３２）のブロック図である。印刷流体カートリッジ（６３２）は、流体を吐出するために印刷システム内部において使用される。幾つかの例においては、印刷流体カートリッジ（６３２）は、例えば交換式カートリッジ（６３２）として、システムから取り外されてよい。幾つかの例においては、印刷流体カートリッジ（６３２）は基材幅の印刷バーであり、そして流体吐出デバイス（１００）のアレイは複数のプリントヘッドへとグループ化されて、それらは流体が付着される基材の幅にわたって互い違いに配置されている。こうしたプリントヘッドの例が図８に示されている。
【００６７】
印刷流体カートリッジ（６３２）は、印刷流体カートリッジ（６３２）の部品を収容するハウジング（６３４）を含んでいる。このハウジング（６３４）は、所定量の流体を流体吐出デバイス（１００）に供給するための、流体リザーバ（６３６）を収容している。一般に、流体はリザーバ（６３６）および流体吐出デバイス（１００）の間を流れる。幾つかの例においては、流体吐出デバイス（１００）に供給される流体の一部は動作中に消費され、そして印刷中に消費されなかった流体は、流体リザーバ（６３６）に戻される。幾つかの例においては、流体はインクであってよい。１つの具体的な例においては、インクは種々の流体の中でも、水系の紫外線（ＵＶ）インク、薬液、または３Ｄ印刷材料であってよい。
【００６８】
図７は、本願に記載された原理の例に従う、基材幅の印刷バー（７４０）内に内蔵された横断流路（図２Ｂ、２１２）を備えた多数の流体吐出デバイス（１００−１、１００−２、１００−３、１００−４）を含んでいる印刷デバイス（７３８）のブロック図である。印刷デバイス（７３８）は、印刷基材（７４２）の幅にわたる印刷バー（７４０）、印刷バー（７４０）に関連する多数の流れレギュレータ（７４４）、基材搬送機構（７４６）、流体リザーバ（図６、６３６）のような印刷流体供給部（７４８）、およびコントローラ（７５０）を含んでいてよい。コントローラ（７５０）は、プログラミング、プロセッサ（単数または複数）、および関連するメモリ、並びに印刷デバイス（７３８）の作動要素を制御する他の電子回路および部品を表している。印刷バー（７４０）は、カットシートまたは連続紙、或いは他の印刷基材（７４２）の上に流体を分配するための、流体吐出デバイス（１００）の配列を含んでいてよい。各々の流体吐出デバイス（１００）は、流体供給部（７４８）から流れレギュレータ（７４４）内を通って延びる流体経路を通り、そして印刷バー（７４０）に規定された多数のトランスファー成形された流体流路（７５２）を通して、流体を受け取る。
【００６９】
図８は、本願に記載された原理の例に従う、内蔵された横断流路（図２Ａ、２１２）を備えた多数の流体吐出ダイ（２０８）を含んでいる流体吐出デバイス（８４１）のブロック図である。幾つかの例においては、流体吐出ダイ（２０８）は、成形可能な材料（１０２）で形成された細長い、一体型の成形パネル（８４３）に埋設され、多数の行（８５４）でもって端から端まで配置されている。流体吐出ダイ（２０８）は互い違い構成で配置されており、そこでは各々の行（８５４）にある流体吐出ダイ（２０８）は、その同じ行（８５４）にある別の流体吐出ダイ（２０８）と重なり合う。この配置において、流体吐出ダイ（２０８）の各々の行（８５４）は、図８において点線で図示されているように、トランスファー成形された別の流体流路（８５６）から流体を受け取る。成形パネル（８４３）の内部には、流体を流体吐出ダイ（２０８）へ、また流体吐出ダイ（２０８）から配送する、流体供給スロットがある。図８は、例えばシアン、マゼンタ、イエロー、およびブラックといった４つの異なる色で印刷する場合に、互い違いの流体吐出ダイ（２０８）の４つの行（８５４）に供給を行う４つの流体流路（８５６）を示しているが、他の適切な構成もまた可能である。
【００７０】
図９は、本願に記載された原理の例に従う、内蔵された横断流路（図２Ａ、２１２）を備えた流体吐出デバイス（図１、１００）を形成するための方法（９００）の流れ図である。この方法（９００）によれば、ノズル（図２Ａ、２１０）のアレイおよび通路（図２Ｂ、２２２）が形成される（ブロック９０１）。幾つかの例においては、通路（図２Ｂ、２２２）は穿孔されたシリコン膜の一部であってよい。このノズル（図２Ａ、２１０）、または正確にはノズル（図２Ａ、２１０）の開口（図２Ｂ、２１６）および吐出チャンバ（図２Ｂ、２１４）は、ＳＵ−８のようなノズル基板（図１、１０４）から形成されていてよい。従って、ノズル（図２Ａ、２１０）のアレイおよび通路（図２Ｂ、２２２）を形成すること（ブロック９０１）は、穿孔されたシリコン膜をＳＵ−８ノズル基板（図１、１０４）と接合することを含んでいてよい。
【００７１】
次いで、内蔵された横断流路（図２Ｂ、２１２）が形成される（ブロック９０２）。内蔵された横断流路（図２Ｂ、２１２）を形成すること（ブロック９０２）は、通路（図２Ｂ、２２２）が形成されている膜の背面側にリブ（図５、５３０）を接着し、そして蓋基板（図２Ｂ、２２４）を取り付けることを含んでいてよい。別の例においては、形成すること（ブロック９０２）は、流路基板（図２Ｂ、２２０）をエッチングして、内蔵された横断流路（図２Ｂ、２１２）を部分的に確定するリブ（図５、５３０）を形成することを含んでいてよい。
【００７２】
内蔵された横断流路（図２Ｂ、２１２）が形成され、そしてノズル（図２Ａ、２１０）および通路（図２Ｂ、２２２）が形成されたなら、２つの部品は接合され（ブロック９０３）、内蔵された横断流路（図２Ｂ、２１２）を備えた流体吐出ダイ（図２Ａ、２０８）が形成される。流体吐出ダイ（図２Ａ、２０８）が形成されたなら、流体吐出ダイ（図２Ａ、２０８）は成形可能な材料（図１、１０２）へと埋設（ブロック９０４）されるが、この成形可能な材料（図１、１０２）は、通路（図２Ｂ、２２２）および対応する内蔵された横断流路（図２Ａ、２１２）と整列され、流体を供給するための供給スロットを含んでいる。図１０Ａから図１０Ｄは、本願に記載された原理の例に従う、内蔵された横断流路（図２Ｂ、２１２）を備えた流体吐出デバイス（図１、１００）を製造するための方法である。
【００７３】
流体吐出ダイ（２０８）が、図１０Ａに示されたようにして形成される。この流体吐出ダイ（２０８）は、あるゆる任意の方法で形成されてよい。一般には、ノズル開口（２１６）および吐出チャンバ（２１４）が、ＳＵ−８のような材料から形成されていてよいノズル基板（１０４）に形成される。ノズル基板（１０４）への開口（２１６）および吐出チャンバ（２１４）の形成は、エッチングまたはフォトリソグラフィを用いて行ってよい。形成された開口（２１６）および吐出チャンバ（２１４）を備えたこのノズル基板（１０４）は、次いで、形成された通路（２２２）を有すると共に、流体吐出ダイ（２０８）の流入口、流出口、およびリブ（５３０）を画定している層（１０５８）と接合される。
【００７４】
図１０Ｂに示されているように、流体吐出ダイ（２０８）は反転され、銅のような任意の材料から形成されていてよい担持ボード（１０６０）上に配置される。すなわち、ノズル基板（１０４）を表面を下向きにして担持ボード（１０６０）上にある。流体吐出ダイ（２０８）は、テープまたは他の接着性表面を介して、一時的に担持ボード（１０６０）に接着されてよい。
【００７５】
次に、図１０Ｃに示されているように、溶融状態の成形可能な材料（１０２）が流体吐出ダイ（２０８）の周囲に配置される。インサート（１０６２）が通路（２２２）のあたりに配置されてよく、かくして成形可能な材料（１０２）が内蔵された横断流路（図２Ｂ、２１２）、通路（図２Ｂ、２２２）、またはノズル（図２Ａ、２１０）の部品の中へと流入して閉塞することがないようにされる。これらのインサート（１０６２）はまた、図１０Ｄに示されているように、成形可能な材料（１０２）に供給スロットを画定する。
【００７６】
図１０Ｄにおいては、構造体は正しい側が上を向くように反転され、担持ボード（１０６０）およびインサート（１０６２）は取り除かれ、そして構造体はキャリア基板（図１、１０６）に接着されて、内蔵された横断流路（２１２）を備えた流体吐出デバイス（１００）が残されるようになる。
【００７７】
概略すると、こうした流体吐出ダイの使用は、１）流体中の水分濃度を維持することによってデキャップの蓋然性を低減し、２）ノズル内部でのより効率的な微小再循環を促進し、３）ノズルの健全性を改善し、４）ダイ近傍での流体の混合をもたらして印刷品質を向上させ、５）流体吐出ダイを対流によって冷却し、６）流体吐出ダイから気泡を除去し、そして７）ノズルの再プライミングを許容する。しかしながら、本願に開示されたデバイスは、多くの技術分野における他の事項および不具合に対処してよいと考えられる。
【００７８】
以上の説明は、記載された原理の例を図解および記述するために提示されたものである。この説明は完全であることを意図したものではなく、またこれらの原理を開示された任意の形態だけに限定することを意図したものでもない。上記の教示に照らして、多くの修正および変形が可能である。
【図１Ａ】
0006971377.tif 000002
【図１Ｂ】
0006971377.tif 000003
【図２Ａ】
0006971377.tif 000004
【図２Ｂ】
0006971377.tif 000005
【図２Ｃ】
0006971377.tif 000006
【図２Ｄ】
0006971377.tif 000007
【図３】
0006971377.tif 000008
【図４Ａ】
0006971377.tif 000009
【図４Ｂ】
0006971377.tif 000010
【図５】
0006971377.tif 000011
【図６】
0006971377.tif 000012
【図７】
0006971377.tif 000013
【図８】
0006971377.tif 000014
【図９】
0006971377.tif 000015
【図１０Ａ】
0006971377.tif 000016
【図１０Ｂ】
0006971377.tif 000017
【図１０Ｃ】
0006971377.tif 000018
【図１０Ｄ】
0006971377.tif 000019